(57)【要約】【課題】漂白力、特に、樹脂部に生えたカビに対する漂白力に優れた漂白剤組成物を提供する。【解決手段】（ａ）次亜塩素酸アルカリ金属塩、（ｂ）４級アンモニウム基、３級アミン基及び２級アミン基の少なくとも何れかを有するモノマー単位（ｂ１）と、陰イオン性基を有するモノマー単位（ｂ２）と、を構成単位として有する両性高分子化合物、（ｃ）第４級アンモニウム型界面活性剤、並びに、（ｄ）水を、それぞれ特定比率で含有する漂白剤組成物。【選択図】なし【特許請求の範囲】
【請求項１】
（ａ）次亜塩素酸アルカリ金属塩０．５〜５．０質量％、（ｂ）４級アンモニウム基、３級アミン基及び２級アミン基の少なくとも何れかを有するモノマー単位（ｂ１）と、陰イオン性基を有するモノマー単位（ｂ２）と、を構成単位として有する両性高分子化合物０．００５〜１質量％、（ｃ）第４級アンモニウム型界面活性剤０．００５〜０．５質量％、並びに、（ｄ）水を含有する漂白剤組成物。
【請求項２】
（ｂ）が、モノマー単位（ｂ１）として、下記一般式（１）で表される単量体及び下記一般式（２）で表される単量体から選ばれる単量体に由来するモノマー単位を有する、請求項１記載の漂白剤組成物。
【化１】
2008133453.tif 000009
〔式中、Ｒ1、Ｒ2、Ｒ3、Ｒ7、Ｒ8、Ｒ9は、それぞれ独立して、水素原子又は炭素数１〜３のアルキル基である。Ｘ、Ｙは、それぞれ独立して、炭素数１〜１２のアルキレン基、−ＣＯＯＲ12−、−ＣＯＮＨＲ12−、−ＯＣＯＲ12−、−Ｒ13−ＯＣＯ−Ｒ12−から選ばれる基である。ここでＲ12、Ｒ13は、それぞれ独立して、炭素数１〜５のアルキレン基である。Ｒ4は炭素数１〜３のアルキル基もしくはヒドロキシアルキル基又はＲ1Ｒ2Ｃ＝Ｃ(Ｒ3)−Ｘ−である。Ｒ5は炭素数１〜３のアルキル基、又はヒドロキシアルキル基であり、Ｒ6は炭素数１〜３のアルキル基、ヒドロキシアルキル基、又はベンジル基であり、Ｚ-は陰イオンを示す。Ｒ10は水素原子、炭素数１〜３のアルキル基もしくはヒドロキシアルキル基又はＲ7Ｒ8Ｃ＝Ｃ(Ｒ9)−Ｙ−である。Ｒ11は水素原子、炭素数１〜３のアルキル基もしくはヒドロキシアルキル基である。〕
【請求項３】
（ｂ）が、下記一般式（３）で表されるモノマー単位（３）及び下記一般式（４）で表されるモノマー単位（４）を合計で、全モノマー単位中５０モル％〜１００モル％含有する共重合体である請求項１又は２記載の漂白剤組成物。
【化２】
2008133453.tif 000010
〔式中、Ｒ1bは炭素数１〜３のアルキル基又はヒドロキシアルキル基であり、ｍ及びｎはそれぞれ０又は１の数であり、ｍ＋ｎ＝１である。Ｚ-は陰イオン基である。〕
【化３】
2008133453.tif 000011
〔式中、Ｒ2bは水素原子、メチル基、又は−ＣＯＯＭであり、Ｒ3bは水素原子、メチル基、又はヒドロキシ基である。Ａは−ＣＯＯＭ、又は−ｐｈ−ＳＯ3Ｍである。ここでＭは水素原子、アルカリ金属又はアルカリ土類金属であり、ｐｈはベンゼン環を示す。〕
【請求項４】
（ｃ）が、下記一般式（５）で示される第４級アンモニウム型界面活性剤である請求項１〜３の何れか１項記載の漂白剤組成物。
【化４】
2008133453.tif 000012
〔式中、Ｒ1cは炭素数６〜１８のアルキル基、Ｒ2c、Ｒ3cはそれぞれ独立してメチル又はエチル基、Ｒ4cは炭素数１〜３のアルキレン基である。Ｍ-はハロゲンイオン、又は、炭素数が１〜３であるアルキル硫酸イオン、又は、炭素数が１〜３のアルキル基を置換基として有する、ベンゼンスルホン酸イオンである。〕
【請求項５】
（ｂ）と（ｃ）の質量比が（ｃ）／（ｂ）＝０．１０〜７．０である請求項１〜４の何れか１項記載の漂白剤組成物。
【請求項６】
請求項１〜５の何れか１項記載の漂白剤組成物を、カビの発生した樹脂に適用してカビを除去する、カビ取り方法。
【発明の詳細な説明】
【技術分野】
【０００１】
本発明は、漂白剤組成物に関する。
【背景技術】
【０００２】
住居の硬質表面の汚れは、対象とする洗浄面によって異なり多種多様である。一般に、台所のレンジ廻りには変性油とホコリなどが複合化した汚れが付着しやすく、トイレや浴室については、無機質並びに有機質が不溶性の塩を形成しそのまま汚れとなる場合や、それらを基質として細菌やカビが繁殖し汚れとなる場合がある。硬質表面の汚れの中でも、これら細菌やカビに由来する黒ずみ汚れは、界面活性剤や研磨剤を主成分とする洗浄剤では十分に除去することが難しいため、次亜塩素酸塩を配合した塩素系の漂白洗浄剤が用いられている。
【０００３】
従来の塩素系の漂白洗浄剤はタイルや目地、その他黒ずみ汚れに対して十分な効果を示したが、最近では、タイルや目地以外に、壁と浴槽等のつなぎ目に使用されているシリコーン樹脂系のコーキングや軟質ポリ塩化ビニル樹脂系のパッキンなどの樹脂部にカビが発生する例が増加してきており、タイルや目地に対して十分な効果を発揮していた従来の漂白洗浄剤であっても、これら樹脂部に発生したカビに対しては漂白・分解除去が困難であった。
【０００４】
次亜塩素酸塩を配合した漂白剤について、漂白特許文献１、２には、次亜塩素酸塩とカチオン性化合物とを併用した漂白洗浄剤組成物が開示されている。また、特許文献３には、次亜塩素酸塩と両性ポリマーとを併用した漂白洗浄剤組成物が開示されている。
【０００５】
また、防汚効果を目的とした処理剤に関する技術として、特許文献４には、４級アンモニウム基を含むモノマー単位を有する重合体と４級アンモニウム基を有する殺菌性化合物を含有する硬質表面用殺菌防汚剤が、また、特許文献５には、４級アンモニウム基を含むモノマー単位を有する重合体と界面活性剤とを含有する硬質表面用洗浄剤組成物が示されている。
【特許文献１】特開２００２−２１２５９３号公報
【特許文献２】特開２００２−２５６２８９号公報
【特許文献３】特開２００２−１６１２９８号公報
【特許文献４】特開２００２−０６０７８６号公報
【特許文献５】特開２００２−０６０７８４号公報
【発明の開示】
【発明が解決しようとする課題】
【０００６】
特許文献１〜３では、浴室の浴槽の継目や、窓などに防水するために用いられるシリコーンコーキングやポリ塩化ビニルパッキンなどに生えたカビに対する漂白性能を向上できることが開示されているが、更なる強力な漂白効果のある漂白剤が望まれている。特許文献４〜５は漂白剤について言及していない。
【０００７】
本発明の課題は、漂白力に優れた漂白剤組成物、特に、樹脂部に生えたカビに対し優れた漂白力を示す漂白剤組成物を提供することである。
【課題を解決するための手段】
【０００８】
本発明は、（ａ）次亜塩素酸アルカリ金属塩〔以下、（ａ）成分という〕０．５〜５．０質量％、（ｂ）４級アンモニウム基、３級アミン基及び２級アミン基の少なくとも何れかを有するモノマー単位（ｂ１）と、陰イオン性基を有するモノマー単位（ｂ２）と、を構成単位として有する両性高分子化合物〔以下、（ｂ）成分という〕０．００５〜１質量％、（ｃ）第４級アンモニウム型界面活性剤〔以下、（ｃ）成分という〕０．００５〜０．５質量％、並びに、（ｄ）水〔以下、（ｄ）成分という〕を含有する漂白剤組成物を含有する漂白剤組成物に関する。
【０００９】
また、本発明は、上記本発明の漂白剤組成物を、カビの発生した樹脂に適用してカビを除去する、カビ取り方法に関する。
【発明の効果】
【００１０】
本発明によれば、漂白力に優れた漂白剤組成物、特に、樹脂部に生えたカビに対し優れた漂白力を示す漂白剤組成物が提供される。
【発明を実施するための最良の形態】
【００１１】
＜（ａ）成分）＞
（ａ）成分の次亜塩素酸アルカリ金属塩としては、次亜塩素酸ナトリウム、次亜塩素酸カリウム等が挙げられ、特に次亜塩素酸ナトリウムが好ましい。本発明の硬質表面用漂白洗浄剤組成物中における（ａ）成分の含有量は、０．５〜５．０質量％、好ましくは１．０〜４．０質量％、より好ましくは２．０〜３．０質量％の範囲である。（ａ）成分の含有量が０．５質量％以上では充分な漂白力が得られ、また５．０質量％以下では良好な安定性が得られる。
【００１２】
＜（ｂ）成分＞
本発明では、（ｂ）成分として、４級アンモニウム基、３級アミン基及び２級アミン基の少なくとも何れかを有するモノマー単位（ｂ１）〔以下モノマー構成単位（ｂ１）という〕と、陰イオン性基を有するモノマー単位（ｂ２）〔以下モノマー構成単位（ｂ２）という〕とを含有する高分子化合物を用いる。
【００１３】
モノマー構成単位（ｂ１）としては、下記一般式（１）で表される単量体及び下記一般式（２）で表される単量体から選ばれる単量体に由来するモノマー単位が好ましい。
【００１４】
【化５】
2008133453.tif 000002
【００１５】
〔式中、Ｒ1、Ｒ2、Ｒ3、Ｒ7、Ｒ8、Ｒ9は、それぞれ独立して、水素原子又は炭素数１〜３のアルキル基である。Ｘ、Ｙは、それぞれ独立して、炭素数１〜１２のアルキレン基、−ＣＯＯＲ12−、−ＣＯＮＨＲ12−、−ＯＣＯＲ12−、−Ｒ13−ＯＣＯ−Ｒ12−から選ばれる基である。ここでＲ12、Ｒ13は、それぞれ独立して、炭素数１〜５のアルキレン基である。Ｒ4は炭素数１〜３のアルキル基もしくはヒドロキシアルキル基又はＲ1Ｒ2Ｃ＝Ｃ(Ｒ3)−Ｘ−である。Ｒ5は炭素数１〜３のアルキル基、又はヒドロキシアルキル基であり、Ｒ6は炭素数１〜３のアルキル基、ヒドロキシアルキル基、又はベンジル基であり、Ｚ-は陰イオンを示す。Ｒ10は水素原子、炭素数１〜３のアルキル基もしくはヒドロキシアルキル基又はＲ7Ｒ8Ｃ＝Ｃ(Ｒ9)−Ｙ−である。Ｒ11は水素原子、炭素数１〜３のアルキル基もしくはヒドロキシアルキル基である。〕
【００１６】
モノマー構成単位（ｂ１）のうち、４級アンモニウム基を有するモノマー単位としては、下記一般式（３）のモノマー構成単位が好適である。
【００１７】
【化６】
2008133453.tif 000003
【００１８】
〔式中、Ｒ1bは炭素数１〜３のアルキル基又はヒドロキシアルキル基であり、ｍ及びｎはそれぞれ０又は１の数であり、ｍ＋ｎ＝１である。Ｚ-は陰イオン基である。〕
【００１９】
一般式（３）においてＲ1bはメチル基が好ましく、Ｚ-はハロゲンイオン、硫酸イオン、燐酸イオン、炭素数１〜１２の脂肪酸イオン、炭素数１〜３のアルキル基が１〜３個置換していてもよいベンゼンスルホン酸イオンが好適であり、特に塩素イオンが好ましい。ｎは０が好適である。
【００２０】
モノマー構成単位（ｂ２）としては下記一般式（４）のモノマー構成単位が好適である。
【００２１】
【化７】
2008133453.tif 000004
【００２２】
〔式中、Ｒ2bは水素原子、メチル基、又は−ＣＯＯＭであり、Ｒ3bは水素原子、メチル基、又はヒドロキシ基である。Ａは−ＣＯＯＭ、又は−ｐｈ−ＳＯ3Ｍである。ここでＭは水素原子、アルカリ金属又はアルカリ土類金属であり、ｐｈはベンゼン環を示す。〕
【００２３】
本発明の（ｂ）成分は、（ｂ）成分を構成するモノマー構成単位に対応する単量体を通常の重合反応を行って製造することができる。あるいは、高分子化合物に後処理を施すことにより、最終的に（ｂ）成分を得ても良い。例えば、４級アンモニウム基を有する高分子化合物の場合は、当初の単量体中に４級アンモニウム基を有する単量体を重合反応により得る方法の他に、アミノ基を有する単量体を用いて重合反応を行った物に４級化処理を施すことによって（ｂ）成分を得てもよい。もちろん陰イオン性基についても同様である。当然ながら、後処理を必要とする高分子化合物を得るために用いられる単量体は、後処理を考慮した構造のものが選ばれる。
【００２４】
一般式（１）で表される単量体としては、アクリロイル（又はメタクリロイル）アミノアルキル（炭素数１〜５）−Ｎ，Ｎ，Ｎ−トリアルキル（炭素数１〜３）４級アンモニウム塩、アクリロイル（又はメタクリロイル）オキシアルキル（炭素数１〜５）−Ｎ，Ｎ，Ｎ−トリアルキル（炭素数１〜３）４級アンモニウム塩、Ｎ−（ω−アルケニル（炭素数２〜１０））−Ｎ，Ｎ，Ｎ−トリアルキル（炭素数１〜３）４級アンモニウム塩、Ｎ，Ｎ−ジ（ω−アルケニル（炭素数２〜１０））−Ｎ，Ｎ−ジアルキル（炭素数１〜３）４級アンモニウム塩が等が挙げられ、これらにより一般式（３）のモノマー単位が構成される。また、一般式（２）で表される単量体としては、アクリロイル（又はメタクリロイル）アミノアルキル（炭素数１〜５）−Ｎ，Ｎ−ジアルキル（炭素数１〜３）アミン、アクリロイル（又はメタクリロイル）オキシアルキル（炭素数１〜５）−Ｎ，Ｎ−ジアルキル（炭素数１〜３）アミン、Ｎ−（ω−アルケニル（炭素数２〜１０））−Ｎ，Ｎ−ジアルキル（炭素数１〜３）アミン、Ｎ，Ｎ−ジ（ω−アルケニル（炭素数２〜１０））−Ｎ−アルキル（炭素数１〜３）アミン、アリルアミン、ジアリルメチルアミン、ジアリルアミン等が挙げられる。
【００２５】
一般式（２）の単量体を重合させたモノマー構成単位に、メチルクロリド、ジメチル硫酸、ジエチル硫酸、エチレンオキシド、プロピレンオキシドなどの４級化剤を用いてアルキル化することで（ｂ）成分を製造することもできる。なお、エチレンオキシド及び／又はプロピレンオキシドを用いる場合にはＺＨ（Ｚは上記陰イオンＺ-に対応する基）で示される酸でアミノ基を中和して反応させる必要がある。
【００２６】
一般式（４）に対応する単量体としてはアクリル酸又はその塩、メタクリル酸又はその塩、クロトン酸又はその塩、α−ヒドロキシアクリル酸又はその塩、マレイン酸又はその塩、無水マレイン酸、スチレンスルホン酸塩を挙げることができる。また、スチレンスルホン酸塩を重合して得られるモノマー構成単位は、スチレンを重合して得られた化合物に３酸化イオウ、クロルスルホン酸、硫酸などのスルホン化剤を用いてスルホン化し、中和することでも得ることができる。
【００２７】
本発明では４級アンモニウム基を有するモノマー構成単位として、特にＮ，Ｎ−ジアリル−Ｎ，Ｎ−ジアルキル（炭素数１〜３）４級アンモニウム塩を重合して得られるモノマー構成単位、またはＮ，Ｎ−ジアリル−Ｎ−アルキル（炭素数１〜３）アミンを重合させたモノマー構成単位をメチルクロリド、ジメチル硫酸、ジエチル硫酸、エチレンオキシド、プロピレンオキシドなどの４級化剤を用いてアルキル化したモノマー構成単位が好ましく、陰イオン性基を有するモノマー構成単位としてアクリル酸又はその塩、メタクリル酸又はその塩、マレイン酸又はその塩、無水マレイン酸から選ばれる単量体を重合して得られるモノマー構成単位が好ましい。
【００２８】
本発明の（ｂ）成分は、〔４級アンモニウム基、３級アミン基及び２級アミン基の総モル数〕／〔陰イオン性基の総モル数〕のモル比が３０／７０〜９５／５、更に４０／６０〜７０／３０、特に５０／５０〜７０／３０であることが好ましい。
【００２９】
本発明の（ｂ）成分は、モノマー構成単位（ｂ１）及びモノマー構成単位（ｂ２）の合計、好ましくは上記一般式（３）で表されるモノマー単位（３）及び上記一般式（４）で表されるモノマー単位（３）の合計が、（ｂ）成分を構成する全モノマー構成単位中、５０〜１００モル％、好ましくは７０〜１００モル％、より好ましくは８０〜１００モル％、特に好ましくは９０〜１００モル％の高分子化合物が好ましい。また、本発明の（ｂ）成分は、４級アンモニウム基、３級アミン基及び／又は２級アミン基（好ましくは４級アンモニウム基）を有するモノマー構成単位（ｂ１）の合計が、（ｂ）成分を構成する全モノマー構成単位中、３０〜９０モル％、更に４０〜８０モル％、特に５０〜７０モル％であることが、漂白洗浄効果、及び、貯蔵安定性の点で好ましい。
【００３０】
本発明では、モノマー構成単位（ｂ１）及びモノマー構成単位（ｂ２）、好ましくは上記一般式（３）で表されるモノマー単位（３）及び上記一般式（４）で表されるモノマー単位（４）以外に、本発明の効果を損なわない程度にこれらと共重合可能な単量体（ｂ３）を共重合させて得られるモノマー構成単位を含んでいてもよい。具体的にはアクリルアミド、Ｎ，Ｎ−ジメチルアミノプロピルアクリル酸（又はメタクリル酸）アミド、Ｎ，Ｎ−ジメチルアクリル（又はメタクリル）アミド、Ｎ，Ｎ−ジメチルアミノエチルアクリル酸（又はメタクリル酸）アミド、Ｎ，Ｎ−ジメチルアミノエチルアクリル酸（又はメタクリル酸）アミド、Ｎ−ビニル−２−カプロラクタム、Ｎ−ビニル−２−ピロリドン、アクリル酸（又はメタクリル酸）アルキル（炭素数１〜５）、アクリル酸（又はメタクリル酸）２−ヒドロキシエチル、アクリル酸（又はメタクリル酸）−Ｎ，Ｎ−ジメチルアミノアルキル（炭素数１〜５）、酢酸ビニル、エチレン、プロピレン、Ｎ−ブチレン、イソブチレン、Ｎ−ペンテン、イソプレン、２−メチル−１−ブテン、Ｎ−ヘキセン、２−メチル−１−ペンテン、３−メチル−１−ペンテン、４−メチル−１−ペンテン、２−エチル−１−ブテン、スチレン、ビニルトルエン、α−メチルスチレン、エチレンオキシド、プロピレンオキシド、２−ビニルピリジン、４−ビニルピリジン、二酸化硫黄を挙げることができる。
【００３１】
本発明では特に二酸化硫黄を（ｂ）成分中に１〜１５モル％共重合させた化合物が最も好ましい。
【００３２】
本発明の（ｂ）成分はいかなる重合法によって得てもよいが、ラジカル重合法が特に好ましく、塊状、溶液、又は乳化系にてこれを行うことができる。ラジカル重合は加熱によりこれを開始してもよいが、開始剤として、２，２’−アゾビス（２−アミジノプロパン）二塩酸塩、２，２’−アゾビス（Ｎ，Ｎ−ジメチレンイソブチルアミジン）二塩酸塩、などのアゾ系開始剤、過酸化水素及び、過酸化ベンゾイル、ｔ−ブチルヒドロパーオキシド、クメンヒドロパーオキシド、メチルエチルケトンパーオキシド、過安息香酸などの有機過酸化物、過硫酸ナトリウム、過硫酸カリウム、過硫酸アンモニウムなどの過硫酸塩、過酸化水素−Ｆｅ3+などのレドックス開始剤、など既存のラジカル開始剤を用いてもよいし、光増感剤の存在／又は非存在下での光照射や、放射線照射により重合を開始させてもよい。
【００３３】
本発明の（ｂ）成分は、重量平均分子量が好ましくは１，０００〜６，０００，０００、より好ましくは５，０００〜３，０００，０００、さらに好ましくは１０，０００〜２，０００，０００である。この重量平均分子量はアセトニトリルと水の混合溶媒（リン酸緩衝液）を展開溶媒とし、ゲルパーミエーションクロマトグラフィーでポリエチレングリコールを標準物質として求めたものである。
【００３４】
（ｂ）成分の含有量は、組成物中、０．００５〜１質量％であり、０．００５〜０．２質量％、更に０．００８〜０．１８質量％、より更に０．０１〜０．１５質量％が好ましい。
【００３５】
＜（ｃ）成分）＞
（ｃ）成分の第４級アンモニウム型界面活性剤は、炭素数が６〜１８、更に６〜１２のアルキル基を１つ有するものが好ましく、又対アニオンは塩素イオンが好ましい。より好ましくは下記一般式（５）で表されるものである。
【００３６】
【化８】
2008133453.tif 000005
【００３７】
〔式中、Ｒ1cは炭素数６〜１８、より好ましくは６〜１２のアルキル基、Ｒ2c、Ｒ3cはそれぞれ独立してメチル又はエチル基、Ｒ4cは炭素数１〜３のアルキレン基である。Ｍ-はハロゲンイオン、又は、炭素数が１〜３であるアルキル硫酸イオン、又は、炭素数が１〜３のアルキル基を置換基として有する、ベンゼンスルホン酸イオンである。〕
【００３８】
（ｃ）成分、中でも上記一般式（５）で表される第４級アンモニウム型界面活性剤は、従来の塩素系漂白剤において不十分であった樹脂系への細菌やカビによる汚れに対する漂白洗浄効果を高めるものであり、これは第４級アンモニウム型界面活性剤が、疎水性素材に対する次亜塩素酸イオンの接触を助けるためであると考えられる。
【００３９】
本発明は、樹脂系素材に対して効果的な漂白剤組成物を提供するものであるが、対象樹脂が窓枠のパッキン等に使用されている塩化ビニル系樹脂である場合は、前記一般式（５）中のＲ1cが炭素数８の化合物が最も効果的である。
【００４０】
（ｃ）成分は、本発明の漂白剤組成物中に、０．００５〜０．５質量％、好ましくは０．００８〜０．３質量％、より好ましくは０．０１〜０．２質量％含有される。この範囲において貯蔵安定性と樹脂系への汚れ除去に効果的である。
【００４１】
本発明の漂白剤組成物は、（ｂ）成分と（ｃ）成分の質量比が（ｃ）／（ｂ）＝０．１０〜７．０、更に０．２８〜５．０であることが、漂白洗浄効果の点で好ましい。
【００４２】
＜その他の成分＞
本発明の漂白剤組成物は、アルカリ金属塩化物〔以下、（ｅ）成分という〕を含有することができる。アルカリ金属塩化物としては塩化ナトリウム及び塩化カリウムが挙げられ、これらは、次亜塩素酸アルカリ金属塩の溶液中に含有されるものであってもよい。（ｅ）成分の含有量は、保存安定性の面から、本発明の漂白剤組成物中に、０．００１〜３．０質量％、更に０．００１〜１．０質量％が好ましい。次亜塩素酸アルカリ金属塩の溶液中のアルカリ金属塩化物を、このような濃度に低減するためには、例えば、次亜塩素酸アルカリ金属塩水溶液を冷却し、アルカリ金属塩化物を結晶化させ、ろ過することによって達成することができる。
【００４３】
また、本発明の漂白剤組成物は、アルカリ金属水酸化物〔以下、（ｆ）成分という〕を含有することができる。（ｆ）成分のアルカリ金属水酸化物とは、漂白剤組成物中に存在するアルカリ金属イオンとヒドロキシイオンとの組合せ、すなわち遊離アルカリを示し、他の対イオンとの組合せの場合はカウントされない。例えば別途有機酸を配合する場合は、アルカリ金属水酸化物として配合したとしても、有機酸の対イオンとなるため、アルカリ金属水酸化物としてカウントしない。アルカリ金属水酸化物は、水酸化ナトリウム、水酸化カリウム等が挙げられ、これらのうち水酸化ナトリウムが好ましい。一般的に塩素系漂白剤等では、次亜塩素酸塩の安定性を得るために、アルカリ金属水酸化物を多く配合する傾向がある。しかしながら、本発明においては、樹脂系に付着した特にカビ由来の汚れに対して十分な効果を得るために、（ｆ）成分の含有量は組成物中に０．２〜３．０質量％、更に０．２〜１．０質量％、特に０．３〜０．８質量％が好ましい。（ｆ）成分の含有量が０．２質量％以上であれば、アルカリ性が充分で（ａ）成分の次亜塩素酸アルカリ金属塩の安定性も良好となる。また、３．０質量％以下であれば、（ａ）成分の次亜塩素酸アルカリ金属塩の安定性に加え、漂白速度も適正で樹脂に対するカビ汚れに対して十分な効果を得ることができる。なお、本発明において、組成物中の（ｆ）成分の量はＡＳＴＭ Ｄ ２０２２−８９記載の方法により測定される。すなわち、この方法は、漂白剤中の遊離アルカリ量を水酸化ナトリウム（ＮａＯＨ）として測定するものであり、本発明においてもこの方法で得られた組成物中の遊離アルカリの量を組成物中の（ｆ）成分の量とする。
【００４４】
本発明では（ｃ）成分以外の界面活性剤を用いてもよいが、このような界面活性剤の配合量は（ｃ）成分を含めた合計量が５．０質量％以下、好ましくは３．０質量％以下、より好ましくは１．０質量％以下であることが貯蔵安定性の点から望ましい。本発明で使用できる界面活性剤としては、炭素数６〜２２のアルキル基を有する界面活性剤が好ましく、具体的にはアルキルスルホン酸塩、アルカンスルホン酸塩、アルキル硫酸エステル塩、アルキルベンゼンスルホン酸塩、アルキルナフタレンスルホン酸塩、アルキルスルホコハク酸塩、アルキルジフェニルエーテルジスルホン酸塩、アルキルリン酸塩、ポリオキシエチレンアルキル硫酸エステル塩、ポリオキシエチレンアルキルアリール硫酸エステル塩、ポリオキシエチレンアルキルフェニルエーテルスルホン酸塩などの陰イオン界面活性剤（アミノ酸誘導体等の含窒素系陰イオン界面活性剤は除く）、アルキルアミンオキシド、カルボキシベタイン、スルホベタインなどの両性界面活性剤の１種以上を挙げることができる。中でも、トリガースプレーを用いて噴霧させた時に、良好な泡を形成させる観点から、アミンオキサイドが好ましい。但し、上記界面活性剤のうち、陰イオン性の界面活性剤、特にアルキルスルホン酸塩、アルキル硫酸エステル塩については、洗浄液中において陽イオン界面活性剤と電気的に結合するため、本発明における次亜塩素酸イオン〔（ａ）成分〕と陽イオン界面活性剤〔（ｃ）成分〕との相乗効果を阻害する働きをすると考えられ、漂白効果が低下する傾向が見られた。このため、アルキルスルホン酸塩、アルキル硫酸エステル塩については組成物中の陽イオン界面活性剤〔（ｃ）成分を含む〕／（アルキルスルホン酸塩及び／又はアルキル硫酸エステル塩）のモル比が０．２以上であることが好ましく、０．５以上が更に好ましく、１以上がより好ましい。
【００４５】
本発明の漂白剤組成物には、炭素数１〜３のアルキル基が１〜３個置換されたベンゼンスルホン酸及びその塩から選ばれるハイドロトロープ剤を配合することで貯蔵安定性が増加する。その他の任意成分として、香料成分を配合することができる。次亜塩素酸塩系に配合可能な香料成分の例としては、特開昭５０−７４５８１号公報及び特開昭６２−２０５２００号公報を参考にすることができ、単体香料及びそれらを組合せた配合香料であってもよい。香料は通常、組成物中に０．００１〜０．５質量％含有されるが、安定性を損なう恐れがあるので、配合成分と配合量の決定には注意を要する。
【００４６】
本発明の組成物の残部は水〔（ｄ）成分〕であり、貯蔵安定性の上で、微量に存在する金属イオンなどを除去したイオン交換水や蒸留水が好ましい。水の含有量は貯蔵安定性の点から、組成物中８０〜９８質量％、更に９０〜９８質量％が好ましい。また、組成物の２０℃におけるｐＨを１２．５〜１３．５に調整することが、貯蔵安定性及び漂白効果の点から好ましい。
【００４７】
また、本発明の組成物は、トリガーによるスプレー性の点から粘度が低い方が良好であり、２０℃における粘度が１〜２０ｍＰａ・ｓ、特に１〜１０ｍＰａ・ｓであることが良好である。
【００４８】
本発明の漂白剤組成物の使用方法としては、（１）トリガー等の噴霧器（スプレーヤー）を用いて直接対象物に噴霧する方法、（２）吸水性の可撓性材料に組成物を染み込ませ対象物を擦る方法、及び（３）組成物を溶解させた溶液に対象物を浸漬させる方法、が好適であり、特に（１）の方法が簡便性の点から良好である。噴霧器としては（ａ）〜（ｄ）成分、更に任意の成分を配合した漂白剤組成物を泡状にして噴霧することができるトリガー式スプレーが好ましく、対象物１ｍ2に対して、５〜１５ｇの割合で噴霧することが好ましい。本発明の漂白剤組成物は、例えばこれら（１）〜（３）のような方法で、カビの発生した樹脂に適用することにより、樹脂に発生したカビを除去することができる。対象となる樹脂は、シリコーン系樹脂、塩化ビニル系樹脂といった、浴室、トイレ、台所などに用いられる各種樹脂が挙げられる。本発明の漂白剤組成物は、硬質表面用として好適である。
【実施例】
【００４９】
＜漂白力＞
一般家庭の浴室窓枠に使用している軟質ポリ塩化ビニル樹脂パッキンに実使用条件にてカビを発生させ、その試験片を採取し約１ｃｍ程度に切断し評価サンプルとした。測色色差計（日本電色工業（株）製、ＮＤ−３００Ａ）を用いて評価サンプルの明度（Ｌ値）を測定し、Ｌ値の差が±２以下のものを用いた。試験片上にキムワイプ（キンバリークラーク社製、３ｃｍ×３ｃｍ）を２枚重ね、表１、２に示す液体漂白剤組成物を０．５ｍｌ滴下し、１０分間放置させた後に水洗、風乾させ、前記測色色差計で明度（Ｌ値）を測定した。評価前後のＬ値の差を漂白力とした。Ｌ値の差が大きいほど、漂白効果が高いことを意味する。結果を表１、２に示す。一部の比較例では重合体ｂ’を（ｂ）成分として（ｃ）／（ｂ）質量比を示した。
【００５０】
＜保存安定性＞
表１、２の一部の組成物を５０℃で２週間保存し、保存後の次亜塩素酸ナトリウムの保存安定性を有効塩素残存率で評価した。尚、有効塩素残存率は、有効塩素残存率（％）＝（保存後の組成物中の有効塩素濃度）／（保存前の組成物中の有効塩素濃度）×１００により求めた。
【００５１】
【表１】
2008133453.tif 000006
【００５２】
【表２】
2008133453.tif 000007
【００５３】
（注）表中の成分は以下のものである。
・重合体ｂ１：Calgon社製マーコート２８０〔塩化ジアリルジメチルアンモニウムとアクリル酸の共重合体、塩化ジアリルジメチルアンモニウム／アクリル酸＝８／２（重量比）、重量平均分子量１７０万〕
・重合体ｂ２：塩化ジアリルジメチルアンモニウム、マレイン酸、二酸化硫黄の共重合体〔塩化ジアリルジメチルアンモニウム／マレイン酸／二酸化硫黄＝１００／４０／１０（モル比）、重量平均分子量２万〕
・重合体ｂ３：塩化ジメチルアミノエチルメタクリレートとアクリル酸の共重合体〔塩化ジメチルアミノエチルメタクリレート／アクリル酸＝１／１（モル比）、重量平均分子量４５万〕
・重合体ｂ４：ジアリルアミン塩酸塩とマレイン酸の共重合体〔ジアリルアミン塩酸塩／マレイン酸＝１／１（モル比）、重量平均分子量２万〕
・重合体ｂ’：Calgon社製マーコート１００〔塩化ジアリルジメチルアンモニウムのホモポリマー、重量平均分子量４０万〕
・活性剤ｃ１：オクチルジメチルベンジルアンモニウムクロリド
【００５４】
【表３】
2008133453.tif 000008